(57)【特許請求の範囲】
【請求項１】
無線フレームの物理リソースブロックにｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）をマッピングする方法であって、
前記ｅＰＤＣＣＨの変調されたシンボルを少なくとも１つの連続する制御チャネルエレメントにマッピングするステップと、
前記少なくとも１つの制御チャネルエレメントを、サブフレーム内の複数の分散化された物理リソースブロックに配置されたリソースエレメントであって、各リソースブロックが前記サブフレーム内の少なくとも１つの更なるリソースブロックにより分離される、リソースエレメントにマッピングするステップと、
エンハンストＮｏｄｅ  Ｂ（ｅＮＢ）からユーザ装置（ＵＥ）に通信されるように構成されるｅＰＤＣＣＨを生成するためスケジューリング用の制御データに前記マッピングを適用するステップと、
を有する方法。
【請求項２】
前記サブフレーム内の複数の物理リソースブロックに配置されたリソースエレメントに前記少なくとも１つの制御チャネルエレメントをマッピングするステップをさらに有し、
各リソースブロックは、前記ｅＰＤＣＣＨのキャリア周波数のコヒーレントな帯域幅の少なくとも２倍である周波数によって他のリソースブロックから分離される、請求項１記載の方法。
【請求項３】
前記サブフレーム内の単一のリソースブロックペアのリソースエレメントに前記少なくとも１つの制御チャネルエレメントをマッピングするステップをさらに有し、
前記制御チャネルエレメントは、前記単一のリソースブロックペアのリソースエレメントに周波数及び時間に関してマッピングされる、請求項１又は２記載の方法。
【請求項４】
前記単一のリソースブロックペアに前記ｅＰＤＣＣＨの変調されたシンボルをマッピングするステップをさらに有し、
前記制御チャネルエレメントは、前記物理リソースブロックペアのスロット境界にマッピングされる、請求項３記載の方法。
【請求項５】
前記サブフレーム内の複数の物理リソースブロックに配置されたリソースエレメントに前記少なくとも１つの制御チャネルエレメントをマッピングするステップをさらに有し、
各リソースブロックは、周波数に関して連続している、請求項１又は２記載の方法。
【請求項６】
前記サブフレーム内の単一のリソースブロックと複数の物理リソースブロックとに配置されたリソースエレメントに前記少なくとも１つの制御チャネルエレメントをマッピングするステップをさらに有し、
前記単一のリソースブロックは、連続するリソースエレメントと、前記少なくとも１つの制御チャネルエレメントがマッピングされる周波数及び時間に関して分散化されるリソースエレメントとの双方を含む、請求項１又は２記載の方法。
【請求項７】
複数の制御チャネルエレメントにローカライズドｅＰＤＣＣＨのシンボルをマッピングするステップと、
前記サブフレームにおいて周波数に関して連続する物理リソースブロックに前記複数の制御チャネルエレメントをマッピングするステップと、
をさらに有する、請求項１又は２記載の方法。
【請求項８】
前記サブフレーム内の複数の物理リソースブロックに配置されたリソースエレメントに前記少なくとも１つの制御チャネルエレメントをマッピングするステップをさらに有し、
前記リソースエレメントは、各リソースエレメントグループが時間及び周波数の少なくとも１つに関して連続する４つのリソースエレメントから構成される、複数のリソースエレメントグループにグループ化される、請求項１乃至７何れか一項記載の方法。
【請求項９】
前記複数の物理リソースブロックと前記単一のリソースブロックとの１つに分散化されたリソースエレメントグループを生成するステップをさらに有し、
分散化された各リソースエレメントグループは、時間及び周波数に関して分散化された４つのリソースエレメントから構成される、請求項１乃至７何れか一項記載の方法。
【請求項１０】
前記サブフレーム内のリソースブロックのリソースエレメントにマッピングされる前記少なくとも１つの制御チャネルエレメントの個々のインデックスを生成するステップをさらに有する、請求項１乃至９何れか一項記載の方法。
【請求項１１】
前記無線フレームの各サブフレームのリソースブロックのリソースエレメントにマッピングされる前記少なくとも１つの制御チャネルエレメントのグローバルインデックスを生成するステップをさらに有する、請求項１乃至９何れか一項記載の方法。
【請求項１２】
前記少なくとも１つのリソースブロックのリソースエレメントに配置されるようリファレンス信号ポートを構成するステップをさらに有し、
前記リファレンス信号は、セルに固有のリファレンス信号（ＣＲＳ）、復調リファレンス信号（ＤＭＲＳ）及びチャネル状態情報リファレンス信号（ＣＳＩＲＳ）からなる群から選ばれる、請求項１乃至１１何れか一項記載の方法。
【請求項１３】
プロセッサにより実行されると、システムに、無線フレームによりエンハンストＮｏｄｅ  Ｂ（ｅＮＢ）からユーザ装置（ＵＥ）に通信されるよう構成されるｅＰＤＣＣＨを生成するため処理可能な制御データにマッピングを適用することを可能にする命令を含む少なくとも１つのコンピュータ可読記憶媒体であって、
前記マッピングは、
少なくとも１つのローカライズされた制御チャネルエレメントと少なくとも１つの分散化された制御チャネルエレメントとの少なくとも１つに前記ｅＰＤＣＣＨの変調されたシンボルをマッピングすることであって、前記少なくとも１つのローカライズされた制御チャネルエレメントは、前記無線フレームのサブフレームの周波数領域において連続する１以上の物理リソースブロック内にマッピングされ、前記少なくとも１つの分散化された制御チャネルエレメントは、前記無線フレームのサブフレーム内の少なくとも１つの物理リソースブロックの分散化されたリソースエレメントにマッピングされる、前記ｅＰＤＣＣＨの変調されたシンボルをマッピングし、
前記無線フレームのサブフレーム内の物理リソースブロックに前記少なくとも１つのローカライズされた制御チャネルエレメントと前記少なくとも１つの分散化された制御チャネルエレメントとをマッピングすることであって、前記サブフレームは、前記マッピングされたローカライズされた制御チャネルエレメントと前記少なくとも１つのマッピングされた分散化された制御チャネルエレメントとの少なくとも１つを含む、前記少なくとも１つのローカライズされた制御チャネルエレメントと前記少なくとも１つの分散化された制御チャネルエレメントとをマッピングする、
ことによって構成されるコンピュータ可読記憶媒体。
【請求項１４】
プロセッサにより実行されると、前記システムに、前記無線フレームにより前記ｅＮＢから前記ＵＥに通信されるよう構成されるｅＰＤＣＣＨを生成するため処理可能な制御データにマッピングを適用することを可能にする命令をさらに有し、
前記マッピングは、前記サブフレームにおいて周波数に関して分散化された複数のローカライズされた物理リソースブロックにマッピングされる前記少なくとも１つの分散化された制御チャネルエレメントに前記ｅＰＤＣＣＨの変調されたシンボルをマッピングすることによって構成される、請求項１３記載のコンピュータ可読記憶媒体。
【請求項１５】
プロセッサにより実行されると、前記システムに、前記無線フレームにより前記ｅＮＢから前記ＵＥに通信されるよう構成されるｅＰＤＣＣＨを生成するため処理可能な制御データにマッピングを適用することを可能にする命令をさらに有し、
前記マッピングは、前記無線フレームのサブフレーム内の物理リソースブロックに前記少なくとも１つのローカライズされた制御チャネルエレメントと前記少なくとも１つの分散化された制御チャネルエレメントとをマッピングすることによって構成され、
前記物理リソースブロックは、前記マッピングされたローカライズされた制御チャネルエレメントと前記少なくとも１つのマッピングされた分散化された制御チャネルエレメントとの少なくとも１つを含む、請求項１３記載のコンピュータ可読記憶媒体。
【請求項１６】
無線フレームの物理リソースブロックにｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）をマッピングする装置であって、
無線フレームによりユーザ装置（ＵＥ）に通信されるよう構成されるｅＰＤＣＣＨを生成するため処理可能な制御データにマッピングを適用するよう動作可能なエンハンストＮｏｄｅ  Ｂ（ｅＮＢ）を有し、
前記マッピングは、
少なくとも１つのローカライズされた制御チャネルエレメントと少なくとも１つの分散化された制御チャネルエレメントとの少なくとも１つに前記ｅＰＤＣＣＨの変調されたシンボルをマッピングすることであって、前記少なくとも１つのローカライズされた制御チャネルエレメントは、前記無線フレームのサブフレームにおいて周波数領域に関して連続する１以上の物理リソースブロック内でマッピングされ、前記少なくとも１つの分散化された制御チャネルエレメントは、前記無線フレームのサブフレーム内の少なくとも１つの物理リソースブロックの分散化されたリソースエレメントにマッピングされる、前記ｅＰＤＣＣＨの変調されたシンボルをマッピングし、
前記無線フレームのサブフレーム内の物理リソースブロックに前記少なくとも１つのローカライズされた制御チャネルエレメントと前記少なくとも１つの分散化された制御チャネルエレメントとをマッピングすることであって、前記物理リソースブロックは、前記マッピングされたローカライズされた制御チャネルエレメントと前記少なくとも１つのマッピングされた分散化された制御チャネルエレメントとの少なくとも１つを含む、前記少なくとも１つのローカライズされた制御チャネルエレメントと前記少なくとも１つの分散化された制御チャネルエレメントとをマッピングする、
ことによって構成される装置。
【請求項１７】
前記ｅＮＢはさらに、前記無線フレームにより前記ｅＮＢから前記ＵＥに通信されるよう構成されるｅＰＤＣＣＨを生成するため処理可能な制御データにマッピングを適用するよう構成され、
前記マッピングは、前記サブフレームにおいて周波数に関して分散された複数のローカライズされた物理リソースブロックにマッピングされる前記少なくとも１つの分散化された制御チャネルエレメントに前記ｅＰＤＣＣＨの変調されたシンボルをマッピングすることによって構成される、請求項１６記載の装置。
【請求項１８】
前記ｅＮＢはさらに、前記無線フレームにより前記ｅＮＢから前記ＵＥに通信されるよう構成されるｅＰＤＣＣＨを生成するため処理可能な制御データにマッピングを適用するよう構成され、
前記マッピングは、前記無線フレームのサブフレーム内の物理リソースブロックに前記少なくとも１つのローカライズされた制御チャネルエレメントと前記少なくとも１つの分散化された制御チャネルエレメントとをマッピングすることによって構成され、
前記サブフレームは、前記マッピングされたローカライズされた制御チャネルエレメントと前記少なくとも１つのマッピングされた分散化された制御チャネルエレメントとの少なくとも１つを含む、請求項１６記載の装置。
【請求項１９】
前記サブフレームの１つのリソースブロックにおいて分散化されたリソースエレメントに前記少なくとも１つの制御チャネルエレメントをマッピングするステップを更に有し、前記制御チャネルエレメントは、前記１つのリソースブロックにおける他のマッピングされたリソースブロックに対して周波数及び時間に関して分散化されるようマッピングされる、請求項１記載の方法。
【発明の詳細な説明】
【技術分野】
【０００１】
２０１１年７月１日に出願された代理人整理番号Ｐ３８４６６Ｚの米国仮特許出願６１／５０４，０５４の優先権が請求され、参照することによりここに援用される。
【背景技術】
【０００２】
無線モバイル通信技術は、各種規格及びプロトコルを用いてデータ送受信局（ＢＴＳ）と無線モバイル装置との間でデータを送信する。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）システムでは、ＢＴＳは、ユーザ装置（ＵＥ）として知られる無線モバイル装置と通信するＵＴＲＡＮ（Ｕｎｉｖｅｒｓａｌ  Ｔｅｒｒｅｓｔｒｉａｌ  Ａｃｃｅｓｓ  Ｎｅｔｗｏｒｋ）におけるｅｖｏｌｖｅｄ  Ｎｏｄｅ  Ｂ（ｅＮｏｄｅ  Ｂ又はｅＮＢ）及び無線ネットワークコントローラ（ＲＮＣ）の組み合わせである。データは、ＰＤＳＣＨ（Ｐｈｙｓｉｃａｌ  Ｄｏｗｎｌｉｎｋ  Ｓｈａｒｅｄ  Ｃｈａｎｎｅｌ）を介しｅＮｏｄｅ  ＢからＵＥに送信される。ＰＤＣＣＨ（Ｐｈｙｓｉｃａｌ  Ｄｏｗｎｌｉｎｋ  Ｃｏｎｔｒｏｌ  Ｃｈａｎｎｅｌ）は、ＰＤＳＣＨ、アップリンクリソースグラント及びアップリンク電力制御コマンドによりダウンリンクリソース割当に関するリソース割当又はスケジューリングをＵＥに通知するＤＣＩ（Ｄｏｗｎｌｉｎｋ  Ｃｏｎｔｒｏｌ  Ｉｎｆｏｒｍａｔｉｏｎ）を伝送するのに利用される。ＰＤＣＣＨは、ｅＮｏｄｅ  ＢからＵＥに送信される各サブフレームにおいてＰＤＳＣＨより前に送信可能である。
【０００３】
ＰＤＣＣＨ信号は、ＣＲＳ（Ｃｅｌｌ  Ｓｐｅｃｉｆｉｃ  Ｒｅｆｅｒｅｎｃｅ  Ｓｉｇｎａｌ）に基づきＵＥにおいて復調されるよう設計される。しかしながら、ＣＲＳの利用は、先進的なＬＴＥシステムの複雑さの増加を考慮しない。例えば、ヘテロジーニアスネットワークでは、複数のノードが１つのセル内において同時送信可能である。ＣＲＳの使用は、セルキャパシティを増加させるため先進的な技術を制限しうる。
【図面の簡単な説明】
【０００４】
本開示の特徴及び効果は、本開示の特徴を例示する添付した図面と共に以下の詳細な説明から明らかになるであろう。
【図１】図１は、一例によるＤＣＩに対して実行される処理を示すブロック図を示す。
【図２】図２は、一例によるＤＣＩに対して実行されるさらなる処理を示すブロック図を示す。
【図３】図３は、一例によるリソースグリッドのブロック図を示す。
【図４】図４は、一例によるサブフレームにマッピングされるｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のブロック図を示す。
【図５】図５は、更なる例によるサブフレームにマッピングされるｅＰＤＣＣＨのブロック図を示す。
【図６】図６は、一例による無線フレームの物理リソースブロックにｅＰＤＣＣＨをマッピングする方法を示すフローチャートを示す。
【図７】図７は、一例によるモバイル通信装置のブロック図の一例を示す。  図示される実施例が参照され、これを説明するため特定の言語が用いられる。しかしながら、本発明の範囲の限定がそれによって意図されるものでないことが理解されるであろう。
【発明を実施するための形態】
【０００５】
本発明が開示及び説明される前に、本発明がここに開示される特定の構成、処理ステップ又はマテリアルに限定されず、当業者により認識されるようなこれの均等に拡張されることが理解されるべきである。また、ここで用いられる用語は単なる具体例を説明するために利用されるものであり、限定的であることを意図するものでないことが理解されるべきである。異なる図面における同一の参照番号は、同一の要素を表す。
実施例
技術の最初の概略の実施例が以下に提供され、その後、具体的な技術の実施例がさらに詳細に以降で説明される。この最初のサマリは、読者が技術をより迅速に理解することを支援するのを意図するものであり、技術のキーとなる特徴又は本質的な特徴を特定することを意図するものでなく、また請求される主題の範囲を限定することを意図するものでもない。以下の定義は、概略及び後述される実施例の簡単化のため提供される。
【０００６】
３ＧＰＰの無線アクセスネットワーク（ＲＡＮ）のＬＴＥシステムでは、送信局は、ユーザ装置として知られる無線モバイル装置と通信するＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅ  Ｂ（ｅｖｏｌｖｅｄ  Ｎｏｄｅ  Ｂ、エンハンストＮｏｄｅ  Ｂ、ｅＮｏｄｅＢ又はｅＮＢとして通常示される）と無線ネットワークコントローラ（ＲＮＣ）との組み合わせとすることが可能である。ダウンリンク（ＤＬ）送信は、送信局（又はｅＮｏｄｅＢ）から無線モバイル装置（又はＵＥ）への通信とすることができ、アップリンク（ＵＬ）送信は、無線モバイル装置から送信局への通信とすることができる。
【０００７】
ホモジーニアスネットワークでは、マクロノードとも呼ばれる送信局は、セル内のモバイル装置に基本的な無線カバレッジを提供できる。ヘテロジーニアスネットワーク（ＨｅｔＮｅｔ）が、モバイル装置の利用及び機能の増大のため、マクロノード上の増大するトラフィックロードを処理するため導入された。ＨｅｔＮｅｔは、マクロノードのカバレッジエリア内に十分には計画されず、又はまったく連係されずに配置されうる低電力ノード（マイクロｅＮＢ、ピコｅＮＢ、フェムトｅＮＢ又はホームｅＮＢ（ＨｅＮＢ））のレイヤとオーバレイする計画された高電力マクロノードのレイヤを含みうる。マクロノードは、基本的なカバレッジのため利用可能であり、低電力ノードは、カバレッジホールを充填し、マクロノードのカバレッジエリア間の境界や高利用な場所においてキャパシティを向上させ、建物構造物が信号伝送を妨げる屋内カバレッジを向上させるため利用可能である。
【０００８】
ＨｅｔＮｅｔの配置は、ＰＤＳＣＨ（Ｐｈｙｓｉｃａｌ  Ｄｏｗｎｌｉｎｋ  Ｓｈａｒｅｄ  Ｃｈａｎｎｅｌ）上で通信されるデータなどのセル内のＵＥへのデータの送信の効率性を向上させることが可能である。この効率性は、低電力ノードの追加的な利用によってセルをより小さなエリアに分割することによって向上する。
【０００９】
ＰＤＳＣＨによるデータの通信は、ＰＤＣＣＨ（Ｐｈｙｓｉｃａｌ  Ｄｏｗｎｌｉｎｋ  Ｃｏｎｔｒｏｌ  Ｃｈａｎｎｅｌ）と呼ばれる制御チャネルを介し制御される。ＰＤＣＣＨは、ダウンリンク（ＤＬ）及びアップリンク（ＵＬ）リソース割当、送信電力コマンド及びページングインジケータのために利用可能である。ダウンリンクＰＤＳＣＨのスケジューリンググラントは、ＵＥに固有のトラフィックを搬送するための専用ＰＤＳＣＨリソース割当用に特定のＵＥに指定可能であるか、又はシステム情報やページングなどのブロードキャスト制御情報を搬送するための共通ＰＤＳＣＨリソース割当用にセル内のすべてのＵＥに指定可能である。
【００１０】
ＰＤＣＣＨにより搬送されるデータは、ダウンリンク制御情報（ＤＣＩ）と呼ばれる。ＤＣＩメッセージついて定義される複数の従来のフォーマットがある。定義されたフォーマットは、
アップリンク共有チャネル（ＵＬ−ＳＣＨ）割当の送信用のフォーマット０
ＳＩＭＯ（Ｓｉｎｇｌｅ  Ｉｎｐｕｔ  Ｍｕｌｔｉｐｌｅ  Ｏｕｔｐｕｔ）処理のためのダウンリンク共有チャネル（ＤＬ−ＳＣＨ）割当の送信用のフォーマット１
ＳＩＭＯ処理のためのＤＬ−ＳＣＨ割当のコンパクトな送信又はランダムアクセスのためＵＥに専用のプリアンブルシグネチャを割り当てるためのフォーマット１Ａ
ＭＩＭＯ（Ｍｕｌｔｉｐｌｅ  Ｉｎｐｕｔ  Ｍｕｌｔｉｐｌｅ  Ｏｕｔｐｕｔ）ランク１ベースコンパクトリソース割当の制御情報の送信のためのフォーマット１Ｂ
ＰＤＳＣＨ割当の大変コンパクトな送信のためのフォーマット１Ｃ
フォーマット１Ｂと同じであるが、電力オフセットの追加情報を有するフォーマット１Ｄ
それぞれクローズド及びオープンループＭＩＭＯ処理のためのＤＬ−ＳＣＨＧ割当の送信のためのフォーマット２及びフォーマット２Ａ
アップリンクチャネルのためのＴＰＣコマンドの送信のためのフォーマット３及びフォーマット３Ａ
当該リストは、完備なものであることを意図するものでない。更なるフォーマットがまた利用されてもよい。複数の異なるタイプのノードを有するＨｅｔＮｅｔの利用など、無線ネットワークの複雑さが増加するに従って、他のフォーマットが、所望のダウンリンク制御情報を搬送するのに作成可能である。
【００１１】
複数のＵＥが、無線フレームの１つのサブフレームにスケジューリングできる。従って、複数のＤＣＩメッセージが、複数のＰＤＣＣＨを用いて送信可能である。ＰＤＣＣＨのＤＣＩ情報は、１以上の制御チャネルエレメント（ＣＣＥ）を用いて送信可能である。ＣＣＥは、リソースエレメントグループ（ＲＥＧ）のグループから構成される。レガシーＣＣＥは、９個までのＲＥＧを含むことが可能である。各ＲＥＧは、４つのリソースエレメントから構成される。各リソースエレメントは、直交変調が利用されるとき、２ビットの情報を含むことが可能である。従って、レガシーＣＣＥは、７２ビットまでの情報を含むことが可能である。７２ビットより多くの情報がＤＩＣメッセージを伝送するのに必要とされるとき、複数のＣＣＥが利用可能である。複数のＣＣＥの利用は、アグリゲーションレベルと呼ばれる。３ＧＰＰ  ＬＴＥ  Ｒｅｌｅａｓｅ  ８，９，１０は、１つのＰＤＣＣＨに割り当てられる１，２，４又は８個の連続するＣＣＥとしてアグリゲーションレベルを定義する。
【００１２】
ＰＤＣＣＨペイロードを生成するため、ＤＣＩは、図１に示されるような複数の処理が実行可能である。これらの処理は、ＤＣＩメッセージにおける誤り検出に用いられるサイクリック冗長性チェック１０２、順方向誤り訂正に用いられるチャネル符号化１０４、及び所望のコードレートによりビットストリームを出力するのに用いられるレートマッチング１０６のアタッチメントを含むことが可能である。細工リンク冗長性チェック、チャネル符号化及びレートマッチングを実行するための詳細な指示は、Ｒｅｌｅａｓｅ  ８，９，１０などの３ＧＰＰ  ＬＴＥ仕様書に提供される。
【００１３】
各制御チャネルの符号化されたＤＣＩメッセージが、その後、図２のブロック図に示されるように、変調、レイヤマッピング、プリコーディング及びリソースマッピングを実行する前に多重化及びスクランブル化できる。
【００１４】
各制御チャネルの符号化されたビットのブロックは、データブロックを生成するため多重化可能である（２０２）。データブロックのサイズは、ＰＤＣＣＨが所望のＣＣＥ位置からスタートすることを保証するため変更されてもよい。データブロックのサイズはまた、ビットブロックがＰＤＣＣＨにより利用可能なＲＥＧの大きさに一致することを保証するため変更されてもよい。多重化されたビットブロックは、その後にスクランブル化可能である。現在利用される１つのスクランブリング処理は、セルに固有のスクランブリングシーケンスを用いたビット単位のＸＯＲ演算の利用である。他のタイプのスクランブリングがまた利用されてもよい。符号化処理は、３ＧＰＰ  ＬＴＥ仕様書に概略されている。
【００１５】
スクランブル化されたビットは、変調が実行可能である（２０４）。ＱＰＳＫ（Ｑｕａｄｒａｔｕｒｅ  Ｐｈａｓｅ  Ｓｈｉｆｔ  Ｋｅｙｉｎｇ）が、複素値の変調シンボルのブロックを生成するのに利用される。ＢＰＳＫ（Ｂｉ−Ｐｈａｓｅ  Ｓｈｉｆｔ  Ｋｅｙｉｎｇ）、１６−ＱＡＭ（１６  Ｑｕａｄｒａｔｕｒｅ  Ａｍｐｌｉｔｕｄｅ  Ｍｏｄｕｌａｔｉｏｎ）、３２−ＱＡＭ、６４−ＱＡＭなどの他のタイプの変調がまた利用可能である。
【００１６】
コンプレックスシンボルが、ｅＮｏｄｅＢにおいて用いられる送信アンテナ数に応じて複数のレイヤにマッピング可能である（２０６）。１、２又は４レイヤマッピングがレガシーシステムにおいて利用されてきた。８レイヤマッピングなどの更なるレイヤがまた利用されてもよい。マッピング処理は、３ＧＰＰ  ＬＴＥ仕様書に概略されている。
【００１７】
プリコーダ２０８は、各アンテナポートの出力を生成するため、レイヤマッパ２０６からブロックを取得できる。送信ダイバーシチのためのプリコーディングは、３ＧＰＰ  ＬＴＥ  Ｒｅｌ．８仕様書に基づくレガシーシステムの２又は４つのアンテナについて実行可能である。８個のアンテナを有するｅＮｏｄｅＢなどのより複雑なシステムの送信ダイバーシチはまた、プリコーディングを用いて適用可能である。プリコーディングに利用される１つの一般的な方式は、２つのアンテナのためのＡｌａｍｏｕｔｉ方式を含む。
【００１８】
各アンテナの複素値のシンボルは、その後にリソースエレメントへのマッピング２１０のためグループに分割できる。レガシーシステムでは、各アンテナの複素値のシンボルは、４つ組に分割可能である。４つ組のセットは、その後、リソースエレメントグループ内のリソースエレメントにマッピングされる前に、インタリーブ及びサイクリックシフトなどのパーミュテーションが実行できる。
【００１９】
ＰＤＣＣＨは、ｅＮｏｄｅＢからＵＥに送信される各サブフレームにおいてＰＤＳＣＨの前に送信可能である。ＵＥにおけるＰＤＣＣＨの復調は、ＣＲＳ（Ｃｅｌｌ−Ｓｐｅｃｉｆｉｃ  Ｒｅｆｅｒｅｎｃｅ  Ｓｉｇｎａｌ）に基づくものとすることができる。各セルには１つのリファレンス信号しか割り当てられない。しかしながら、１つのＣＲＳの利用は、セルに配置可能なノード数を制限できる。
【００２０】
ＵＥは、ブラインド復号化を用いてＰＤＣＣＨを受信可能である。ＰＤＣＣＨのブラインド復号化のためＵＥにより利用されるリソースは、サーチスペースと呼ぶことができる。異なるサーチスペースが、ＣＲＳの利用に対してＵＥに固有のリファレンス信号（ＵＥ−ＲＳ）についてＰＤＣＣＨを検出及び復調するのに利用可能である。
【００２１】
ＰＤＣＣＨを伝送するのに利用される物理（ＰＨＹ）レイヤ上の信号は、図３に示されるように、汎用的なＬＴＥフレーム構成を用いて、ｅＮｏｄｅＢ（エンハンストＮｏｄｅ  Ｂ、ｅｖｏｌｖｅｄ  Ｎｏｄｅ  Ｂ又はｅＮＢ）により送信可能である。図３では、レガシーＰＤＣＣＨが示される。
【００２２】
無線フレーム３００は、１０ミリ秒（ｍｓ）の期間Ｔｆを有することが可能である。各無線フレームは、各々が１ｍｓの長さである１０個のサブフレーム３１０ｉにセグメント化又は分割できる。各サブフレームはさらに、各々が０．５ｍｓの期間Ｔｓｌｏｔを有する２つのスロット３２０ａ，３２０ｂに分割できる。レガシーシステムでは、第１スロット（＃０）３２０ａは、ＰＤＣＣＨ３６０及びＰＤＳＣＨ３６６を有し、第２スロット（＃２）３２０ｂは、ＰＤＳＣＨを用いたデータを有することが可能である。ｅＮｏｄｅＢ及びＵＥにより利用されるコンポーネントキャリア（ＣＣ）のための各スロットは、ＣＣの周波数帯域幅に基づき複数のリソースブロック（ＲＢ）３３０ａ，３３０ｂ，３３０ｉ，３３０ｍ，３３０ｎを含むことができる。
【００２３】
各ＲＢ３３０ｉは、サブキャリア毎に１２〜１５ｋＨｚのサブキャリア３３６（周波数軸上）と６又は７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル３３２（時間軸上）を含むことが可能である。一実施例では、ＲＢは、ショート又はノーマルサイクリックプリフィックスが利用される場合、７個のＯＦＤＭシンボルを利用可能である。他の実施例では、ＲＢは、拡張サイクリックプリフィックスが利用される場合、６個のＯＦＤＭシンボルを利用可能である。リソースブロックは、ショート又はノーマルサイクリックプリフィックスを利用して８４個のＲＥ３４０ｉ（図示せず）にマッピング可能であるか、又はリソースブロックは拡張サイクリックプリフィックスを利用して７２個のＲＥ（図示せず）にマッピング可能である。ＲＥは、１つのサブキャリア（すなわち、１５ｋＨｚ）３４６によって１つのＯＦＤＭシンボル３４２の単位とすることができる。各ＲＥは、ＱＰＳＫを用いて２ビットの情報３５０ａ，３５０ｂを送信可能である。ＲＥ毎に通信される実際のビット数は、利用される変調のレベルに依存する。
【００２４】
キャリアアグリゲーションにおける各レガシーサービングセルの制御領域は、ＣＣＥのセットから構成される。一実施例では、ＣＣＥは、０〜ＮＣＣＥ，ｋ−１に番号付け可能であり、ＮＣＣＥ，ｋはサブフレームｋの制御領域におけるＣＣＥの総数である。ＵＥは、制御情報のため上位レイヤシグナリングにより設定されるような１以上のアクティブ化されたサービングセル上のＰＤＣＣＨ候補のセットをモニタリングできる。ここで用いられるモニタリングという用語は、ＵＥにおいてモニタリングされたＤＣＩフォーマットのすべてに従ってセット内の各ＰＤＣＣＨ候補を復号化することを試みることを意味する。
【００２５】
物理制御チャネルは、１以上のＣＣＥのアグリゲーションにより送信可能である。ＣＣＥは、従来は連続的に送信された。上述されるように、レガシー制御チャネルエレメントは、９個のリソースエレメントグループ（ＲＥＧ）に対応する。各レガシーＲＥＧは、４つのリソースエレメントから構成される。一実施例では、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）又はＰＨＩＣＨ（Ｐｈｙｓｉｃａｌ  ＡＲＱ  Ｉｎｄｉｃａｔｏｒ  Ｃｈａｎｎｅｌ）に割り当てられないＲＥＧの個数は、ＮＲＥＧとして示される。３ＧＰＰ  ＬＴＥシステムにおいて利用可能なＣＣＥは、０〜ＮＣＣＥ−１により番号付け可能であり、ＮＣＣＥ＝（ＮＲＥＧ／９）である。ＰＤＣＣＨは複数のフォーマットをサポートできる。複数のＰＤＣＣＨがサブフレームにおいて送信可能である。
【００２６】
ＰＤＣＣＨフォーマットの一例が、以下のテーブルに提供される。
【００２７】
【表１】
0005841248.tif 000002
３ＧＰＰ  ＬＴＥ  Ｒｅｌｅａｓｅ  ８，９，１０仕様書により記載されるように、現在説明されているＰＤＣＣＨの送信及びマッピング処理は、無線通信の他のエリアにおいて行われる進歩に制限を生じさせる可能性がある。例えば、ＯＦＤＭシンボルのサブフレームへのＣＣＥのマッピングは、典型的には、空間ダイバーシチを提供するため制御領域に拡散される。しかしながら、現在のマッピング手順によると、ビームフォーミングダイバーシチは可能でない。さらに、隣接セルとの干渉調整は、典型的には、マッピング手順を利用して可能でない。直交性は隣接セル間は保証できず、サブキャリア衝突が生じる可能性を生じさせる。
【００２８】
さらに、レガシーＰＤＣＣＨのキャパシティは、将来的なネットワークにとって十分でないかもしれない。例えば、将来的なネットワークは、１つのマクロセルサービングエリアに複数の異なるタイプの送信ノードを含むことが可能なＨｅｔＮｅｔにおいて構成されるかもしれない。より多くのＵＥが、ＨｅｔＮｅｔのマクロ及びピコセルにより同時にサービス提供可能である。３ＧＰＰ  ＬＴＥ  Ｒｅｌ．８のＰＤＣＣＨは、セル分割ゲインをフル活用することを困難にするセルに固有のリファレンス信号に基づき復調するよう設計される。ＰＤＣＣＨの設計は、ＵＥにおけるバッテリ使用を減少させ、帯域幅を増加させるため、ＨｅｔＮｅｔの複数の送信ノードをＵＥが利用することを可能にするのに必要とされる情報を搬送するのに適したものでないかもしれない。
【００２９】
さらに、ＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）、Ｍ２Ｍ（Ｍａｃｈｉｎｅ  ｔｏ  Ｍａｃｈｉｎｅ）通信、マルチキャスト／ブロードキャスト単一周波数ネットワークにおけるＰＤＳＣＨ送信及びキャリアアグリゲーションにおけるクロスキャリアスケジューリングの利用は、ＰＤＣＣＨのための増大したキャパシティを要求しうる。ＵＥにおけるＰＤＣＣＨの復調におけるＵＥに固有のリファレンス信号の利用は、ＨｅｔＮｅｔ内の複数のノードの利用を可能にすることができる。セル全体に１つの共通のリファレンスシンボルに依拠するより、各リファレンスシンボルはＵＥに固有のものとすることができる。
【００３０】
従って、ｅＰＤＣＣＨ（ｅｘｔｅｎｄｅｄ  ＰＤＣＣＨ）は、セルラネットワークの設計における進歩を可能にし、現在知られているチャレンジを最小限にするため、増加したキャパシティにより構成可能である。ｅＰＤＣＣＨの設計とマッピング原理の複数の具体例が提供される。これらの具体例は限定的であることを意図するものでない。限定することなく、ＣＲＣアタッチメント、チャネル符号化、レートマッチング、多重化、スクランブル化、変調、レイヤマッピング、プリコーディング、リソースマッピング及びサーチスペース要求を含むｅＰＤＣＣＨの広範な設計態様のため、提供される具体例は、完全なシステムを提供することを意図するものでない。しかしながら、これらの具体例は、ｅＰＤＣＣＨの設計及び実現の他の態様が拡張可能な改良を提供可能である。
【００３１】
図４は、サブフレームのリソースエレメントにマッピングされるＣＣＥにマッピングされるｅＰＤＣＣＨの一例を提供する。本例では、各リソースブロックペアは、各々が同じサブキャリアを有し、図３に示されるように、無線フレームのサブフレームの第１及び第２スロットに配置される２つのリソースブロックを有することが可能である。各リソースブロックは、１つのＣＣＥを含むことが可能である。ＣＣＥは、リソースブロック内の所定の位置にあってもよい。しかしながら、ＣＣＥは、リソースブロック全体に配置されるリソースエレメントグループ（ＲＥＧ）を有してもよい。各ＲＥＧは、４つのリソースエレメントを有してもよい。しかしながら、システム要求に基づき、ＲＥＧは、より多く又はより少ないリソースエレメントを有してもよい。本例では、ＲＥＧに配置されるリソースエレメントは、周波数及び時間の少なくとも１つにおいて連続的である。ＣＣＥ内のＲＥＧの個数は、９個などの所定数であってもよい。あるいは、ＲＥＧの個数は、ＤＣＩデータロード要求（すなわち、ＤＣＩデータ量）又はＰＣＦＩＣＨ要求、ＰＨＩＣＨ要求及び各リソースブロック内に割り当てられるデータのリソースシンボル要求などのリソースブロックにおける他の競合する要求に基づき可変的であってもよい。一実施例では、チャネル制御エレメントは、サブフレーム内の１つのリソースブロックペアのリソースエレメントにマッピング可能である。制御チャネルエレメントは、１つのリソースブロックペアのリソースエレメントに周波数及び時間においてマッピング可能である。制御チャネルエレメントがリソースブロックペアにおいてマッピングされるリソースエレメントは、時間及び／又は周波数において分離されてもよい。制御チャネルエレメントは、物理リソースブロックペアのスロット境界にマッピングされてもよい。
【００３２】
図４において、アグリゲーションレベル（ＡＧＬ）を有するローカライズされたｅＰＤＣＣＨ４０２が示される。ローカライズされたｅＰＤＣＣＨは１つのＣＣＥにマッピング可能であり、当該ＣＣＥは、理解できるように、１つのリソースブロックにマッピング可能である。同様に、２つのアグリゲーションレベルのローカライズされたｅＰＤＣＣＨ４０４が、リソースブロックにおいて２つの連続するＣＣＥにマッピングされてもよい。しかしながら、これは、ランダムビームフォーミングダイバーシチを生成することができない、隣接セルによる干渉調整がないなど、レガシーシステムに存在するものと同じ困難の多くを導きうる。
【００３３】
これらの問題を解決するため、利用可能な１つの処理は、ｅＰＤＣＣＨを１以上のＣＣＥにマッピングすることである。ＣＣＥは、その後、異なるリソースブロックの複数のＲＥＧにマッピングできる。ＲＥＧの周波数分離は、周波数ダイバーシチゲインを提供できる。ＣＣＥの各ＲＥＧは、複数のＲＥＧが他のＲＥＧと同じリソースブロックにマッピングされてもよいが、別々のリソースブロックにマッピングされてもよい。ＲＥＧがより広範に分散されると、生じうるダイバーシチゲインはより大きくなる。
【００３４】
一実施例では、各ＲＥＧは、ＰＤＣＣＨキャリア周波数のコヒーレントな帯域幅の少なくとも５倍である周波数によって、ＣＣＥのＲＥＧを含む他のリソースブロックから分離されるリソースブロックに分散できる。しかしながら、周波数においてＲＥＧを分離することを可能にすることは、具体的なチャネルプロファイル及びシステム帯域幅に依存しうる。やや狭い帯域幅が利用可能な例では、各ＲＥＧはＰＤＣＣＨキャリア周波数のコヒーレントな帯域幅の２倍により分離されてもよい。他の実施例では、ＲＥＧは単一のリソースブロックによりＣＣＥの他のＲＥＧから分離されてもよい。全体的に、各ＲＥＧは、周波数ダイバーシチを取得するため、可能な限り離れてＣＣＥの他のＲＥＧから周波数分離可能である。
【００３５】
図４は、１のアグリゲーションレベルを有する分散されたＰＤＣＣＨ４０６の一例を含む。１のアグリゲーションレベルは、ＤＣＩ情報が１つのＣＣＥにマッピングできることを意味する。ＣＣＥは９個のＲＥＧを有してもよい。しかしながら、より多くの又はより少ないＲＥＧが各ＣＣＥにおいて利用されてもよい。ＱＰＳＫと異なる変調方式がＤＣＩ情報において利用される場合、より多数のＲＥ及び／又はビットが各ＲＥＧに含まれてもよい。ＣＣＥ内のＲＥＧは、周波数ダイバーシチゲインを提供するため、チャネルプロファイル及びシステム帯域幅に依存して、可能な限り周波数分離されるサブフレーム内のリソースブロックにマッピングできる。同様に、ＣＣＥ  Ｎ４０８のＲＥＧは、周波数に関して分散される。ＣＣＥ  １及びＣＣＥ  ＮのＲＥＧは、サブフレーム内のリソースブロック間で同一の分布又は異なる分布を有してもよい。分散されたＰＤＣＣＨ４０６，４０８に示されるＲＥＧはそれぞれリソースブロック内で同一の時間ポジションにあることが示されるが、各ＣＣＥについて、これは必要でない。ＣＣＥ  １及びＣＣＥ  Ｎにおける分散されたＲＥＧは、リソースブロック内で異なる時間位置にあってもよい。サブフレーム内の各ＣＣＥは、同数のＲＥＧ又は異なる個数のＲＥＧを有してもよい。
【００３６】
サブフレーム内の異なるリソースブロックへの周波数上のＣＣＥのＲＥＧの分散は、周波数ダイバーシチゲインの増大を提供できる。さらに、隣接送信局のセルエッジの近傍で動作するモバイル装置について生じるサブキャリア衝突の可能性を有意に低下又は排除することが可能な異なる周波数マッピング方式が、隣接送信局において利用可能である。さらに、周波数分散されたｅＰＤＣＣＨは、ランダムビームフォーミングダイバーシチの利用が更なるゲインを提供することを可能にし、ｅＰＤＣＣＨが通信可能な距離及び／又はビットレートを増加させることが可能である。
【００３７】
図５は、無線フレームのサブフレーム内のリソースエレメント及び／又はリソースブロックにＣＣＥをマッピングする処理の他の例を提供する。アグリゲーションレベル１及び２によるそれぞれのローカライズされたｅＰＤＣＣＨ５０２，５０４は、図４の具体例４０２，４０４と実質的に同様とすることができる。ＣＣＥ  １のアグリゲーションレベル１の分散されたｅＰＤＣＣＨ５０６は、周波数と時間との双方について分散されるよう示される。さらに、ＲＥＧは、リソースブロックグループ内で時間及び空間に関して分散可能なサブグループに分割される。時間及び周波数の双方について分散されたリソースエレメントを有するＲＥＧは、分散化ＲＥＧと呼ぶことができる。
【００３８】
一実施例では、各分散化ＲＥＧは、４〜１６個のリソースエレメントを含むことができる。各リソースエレメントは、１〜８ビットを含むようにしてもよい。分散化ＲＥＧのリソースエレメントは、リソースブロック及び／又はリソースブロックペアの選択された位置にマッピングされる。一実施例では、分散化ＲＥＧ内のすべてのリソースエレメントは、同一のリソースブロックに含めることができる。あるいは、分散化ＲＥＧのリソースエレメントは、サブフレーム内の複数のリソースブロックペアにマッピングされてもよい。
【００３９】
一例では、レガシーＰＤＣＣＨマッピング値が利用可能である。分散化されたｅＰＤＣＣＨ５０６は、各々が４つのリソースエレメントを有する９個のＲＥＧを有し、各リソースエレメントは２ビットを含むものであってもよい。分散化されたｅＰＤＣＣＨは、各々が１つの分散化ＲＥＧを含む９個の別々のリソースブロックにマッピング可能である。各分散化ＲＥＧは、リソースブロック全体に分散される４個のリソースエレメントを含むことが可能である。より大きなアグリゲーションレベルのＰＤＣＣＨについて、当該ＰＤＣＣＨは、同様に分散可能な更なるＣＣＥにマッピング可能である。同一のリソースブロックの同じＣＣＥにあるプリコーダは、ランダムビームフォーミングを実現するためＲＥＧに適用可能であり、これにより、空間ダイバーシチゲインを提供できる。ＵＥはまた、当該タイプの構成を利用して、ＵＥ自身のモビリティに依存する異なるサーチスペースカテゴリにおいて復号化可能である。これは、ブラインド復号化試行を低減するため利用可能である。本例は限定的であることを意図していない。上述されるように、ｅＰＤＣＣＨのＣＣＥは、各ＲＥＧがより多くのリソースエレメントを有するより多くの（又はより少ない）ＲＥＧを有することが可能であり、各リソースエレメントは、利用される変調タイプに依存してより多くのビットを含むようにしてもよい。
【００４０】
モニタリングするｅＰＤＣＣＨ候補のセットは、サーチスペースに関して定義される。ここで、アグリゲーションレベル
【００４１】
【数１】
0005841248.tif 000003
によるサーチスペースＳｋ（Ｌ）は、ｅＰＤＣＣＨ候補のセットにより規定される。ｅＰＤＣＣＨがモニタリングされる各サービングセルについて、サーチスペースＳｋ（Ｌ）のｅＰＤＣＣＨ候補ｍに対応するＣＣＥは、
【００４２】
【数２】
0005841248.tif 000004
により与えられ、ここで、Ｙｋは以下のように定義され、ｉ＝０，．．．，Ｌ−１である。共通するサーチスペースについては、ｍ’＝ｍである。ＵＥに固有のサーチスペースについて、モニタリングするＵＥがキャリアインジケータフィールドにより設定される場合、ｍ’＝ｍ＋Ｍ（Ｌ）・ｎＣＩである。ここで、ｎＣＩはキャリアインジケータフィールド値である。モニタリングするＵＥが、ＵＥに固有のサーチスペースについてキャリアインジケータフィールドにより設定されていない場合、ｍ’＝ｍである。ここで、ｍ＝０，．．．，Ｍ（Ｌ）−１である。Ｍ（Ｌ）は、所与のサーチスペースにおいてモニタリングするｅＰＤＣＣＨ候補の個数である。
【００４３】
低モビリティＵＥと高モビリティＵＥとの双方を考慮したＵＥに固有のサーチスペースが設定可能である。高モビリティＵＥは、より大きなドップラーシフトを有し、より頻繁にセル間を移動し、リファレンス信号情報などのフレッシュなデータを維持するため、ｅＮｏｄｅＢとより頻繁なデータ交換を要求する。
【００４４】
低モビリティについては、図４のローカライズドｅＰＤＣＣＨ４０２，４０４などのローカライズされたｅＰＤＣＣＨサーチスペース候補を用いて、周波数スケジューリングゲインが実現できる。高モビリティについては、図４の分散化ｅＰＤＣＣＨ４０６，４０８又は図５の５０６など、ＯＦＤＭＡ信号において異なる周波数サブバンドに広範に分散可能である。ＯＦＤＭＡ信号におけるサーチスペース候補の広範な分散化は、ＵＥからｅＮｏｄｅＢにフィードバックされる信頼できるチャネル状態情報の受信によって生じるスケジューリングゲインを提供可能である。高モビリティについては、オープンループ（ＯＬ）ＭＩＭＯがｅＰＤＣＣＨのＵＥに固有のリファレンス信号により実現されることを可能にするように、サーチスペースが構成できる。
【００４５】
図４及び５に示される具体例に基づき、ＰＤＣＣＨの複数の設計原理が導出できる。ｅＰＤＣＣＨは、１以上の制御チャネルエレメントにマッピング可能である。１つのｅＰＤＣＣＨが複数のＣＣＥにマッピングされると、各ＣＣＥは、ｅＰＤＣＣＨを復号化するのに利用されてもよい。１つのＣＣＥは、１つの物理リソースブロック（ＲＢ）又はＲＢペア内のリソースエレメントにマッピング可能である。１つのＣＣＥは、周波数領域においてやや遠く離れた分散化されたリソースブロックにマッピング可能である。ローカライズドｅＰＤＣＣＨは、複数のローカライズドＣＣＥにマッピングできる。ローカライズドＣＣＥは、１つのリソースブロック内に、又は周波数領域において連続する複数のリソースブロックにマッピング可能である。分散化ｅＰＤＣＣＨは、１つのＣＣＥ又は複数の分散化ＣＣＥにマッピング可能である。ローカライズドＣＣＥは、理解できるように、チャネル、システム帯域幅及び他のシステム考慮点に基づき、可能な限り周波数領域において互いに遠く離れて分散化される分散化リソースブロックにマッピング可能である。１つのサブフレームは、ローカライズドＣＣＥ、分散化ＣＣＥ又は双方を含むことができる。１つの物理リソースブロックはまた、ローカライズドＣＣＥ、分散化ＣＣＥの一部又は双方を含むことが可能である。ＣＣＥがマッピングされるリソースエレメントは、リファレンスシンボル又は他のオーバヘッドに割り当てられたものを排除できる。
【００４６】
セルに固有のリファレンス信号（ＣＲＳ）のポート、復調に固有のリファレンス信号ポート及びチャネル状態情報のリファレンス信号ポートの各個数が、ＲＲＣ（Ｒａｄｉｏ  Ｒｅｓｏｕｒｃｅ  Ｃｏｎｔｒｏｌ）シグナリングなどの上位レイヤのリソースブロックにおいて通知された後、ＣＣＥは、ｅＰＤＣＣＨ送信用に割り当てられるリソースブロックにおける利用可能なリソースエレメントに基づきインデックス化可能である。
【００４７】
一実施例では、やや低いモビリティのＵＥから受信したｅＰＤＣＣＨ信号について、ローカライズドＣＣＥは、図１に示されるように、周波数の順序に基づきインデックス化可能である。他の実施例では、やや高いモビリティのＵＥから受信したｅＰＤＣＣＨ信号について、ＣＣＥは、図１に示されるように時間又は周波数において連続的であるか、又は図２に示されるように、時間及び周波数において分散化されるリソースエレメントにインデックス化できる。図２の分散化されたＲＥＧの利用は、特に低いアグリゲーションレベルを有するｅＰＤＣＣＨについてより大きなダイバーシチゲインを提供することができる。高モビリティＵＥについて、ＣＣＥは、図４の分散化ＰＤＣＣＨ４０６，４０８について上述されたように、リソースエレメントにインデックス化可能である。
【００４８】
一実施例では、ＣＣＥは、自らのファンクションに依存して、低モビリティのためのＲＥＧセットと、高モビリティのためのＲＥＧセットとの２つのカテゴリに分割さえるＲＥＧにインデックス化されてもよい。各カテゴリについて、サーチスペースが定義可能であり、アグリゲーションレベルΛのｅＰＤＣＣＨ候補ｍ＝０，１，．．．，Ｍ（Λ）−１は、
【００４９】
【数３】
0005841248.tif 000005
により番号付けされたＣＣＥを有する。ここで、ＮＣＣＥＰＤＣＣＨは、選択されたカテゴリのＣＣＥの総数であり、ｉ＝０，１，．．．，Λ−１であり、Ｍ（Λ）はアグリゲーションレベルΛに基づくｅＰＤＣＣＨ候補の個数である。以下のテーブル１において、アグリゲーションレベルに基づくｅＰＤＣＣＨ候補の一例が示される。理解できるように、アグリゲーションレベルに基づく更なるｅＰＤＣＣＨ候補が利用されてもよい。
【００５０】
【表２】
0005841248.tif 000006
一例では、図６は、無線フレームの物理リソースブロックにｅＰＤＣＣＨをマッピングする方法を示すフローチャートを提供する。本方法は、ブロック６１０に示されるように、ｅＰＤＣＣＨの変調されたシンボルを少なくとも１つの制御チャネルエレメントにマッピングすることを含む。この少なくとも１つの制御チャネルエレメントは、サブフレーム内の複数の物理リソースブロックに配置されるリソースエレメントであって、各リソースブロックがサブフレーム内の少なくとも１つの更なるリソースブロックにより分離されるリソースエレメントと、サブフレーム内の１つのリソースブロックに分散されるリソースエレメントであって、ブロック６３０及び６４０にそれぞれ示されるように、制御チャネルエレメントが当該１つのリソースブロックの他のマッピングされたリソースエレメントに対して周波数及び時間に関して分散されるようマッピングされるリソースエレメントとの少なくとも１つにマッピング可能である（６２０）。本方法６００はさらに、ブロック６５０に示されるように、エンハンスドＮｏｄｅ  ＢからＵＥに通信されるよう構成されるｅＰＤＣＣＨを生成するため、制御データへのマッピングを適用することを含む。
【００５１】
方法６００はまた、サブフレーム内の１つのリソースブロックペアのリソースエレメントに上記少なくとも１つの制御チャネルエレメントをマッピングすることを含むことができる。制御チャネルエレメントは、１つのリソースブロックペアのリソースエレメントに周波数及び時間に関して分散可能である。さらに、ｅＰＤＣＣＨの変調されたシンボルは、１つのリソースブロックペアにマッピング可能であり、制御チャネルエレメントは、物理リソースブロックペアのスロット境界にマッピングされる。
【００５２】
方法６００の他の例は、サブフレーム内の複数の物理リソースブロックに配置されたリソースエレメントに上記少なくとも１つの制御チャネルエレメントをマッピングすることを含み、各リソースブロックは周波数に関して連続する。当該少なくとも１つの制御チャネルエレメントは、サブフレームに配置されたリソースエレメントとサブフレーム内の１つのリソースブロックとにマッピング可能である。この１つのリソースブロックは、連続するリソースエレメントと、制御チャネルエレメントがマッピングされる周波数及び時間に関して分散されるリソースエレメントとの双方を含むことが可能である。
【００５３】
方法６００はさらに、ローカライズドｅＰＤＣＣＨのシンボルを複数の制御チャネルエレメントにマッピングすることと、複数の制御チャネルエレメントをサブフレームにおいて連続する物理リソースブロックにマッピングすることとを含む。上記少なくとも１つの制御チャネルエレメントは、サブフレーム内の複数の物理リソースブロックに配置されたリソースエレメントにマッピング可能である。リソースエレメントは、複数のリソースエレメントグループにグループ化可能である。各リソースエレメントグループは、時間及び周波数の少なくとも１つに関して連続する４つのリソースエレメントから構成可能である。
【００５４】
方法６００はまた、複数の物理リソースブロックと単一のリソースブロックとの一方において分散されたリソースエレメントグループを生成することを含む。分散された各リソースエレメントグループは、リソースブロック内で時間及び周波数に関して分散される少なくとも４つのリソースエレメントから構成される。
【００５５】
方法６００はさらに、無線フレームのサブフレーム内のリソースブロックのリソースエレメントにマッピングされる少なくとも１つの制御チャネルエレメントの個々のインデックスを生成することを含む。サブフレームのリソースブロックのリソースエレメントにマッピングされる少なくとも１つの制御チャネルエレメントのグローバルインデックスがまた開示される。
【００５６】
他の実施例では、物（ａｒｔｉｃｌｅ）が開示される。物は、プロセッサにより実行された場合、システムが無線フレームにおいてエンハンストＮｏｄｅ  Ｂ（ｅＮＢ）からユーザ装置（ＵＥ）に通信されるよう構成されるｅＰＤＣＣＨを生成するため処理可能な制御データにマッピングを適用することを可能にする命令を含む非一時的なコンピュータ可読記憶媒体を有する。当該マッピングは、少なくとも１つのローカライズされた制御チャネルエレメントと少なくとも１つの分散化された制御チャネルエレメントとの少なくとも１つにｅＰＤＣＣＨの変調シンボルをマッピングすることによって構成され、少なくとも１つのローカライズされた制御チャネルエレメントは、無線フレームのサブフレームの周波数領域において連続する１以上の物理リソースブロック内にマッピングされ、少なくとも１つの分散化された制御チャネルエレメントは、無線フレームのサブフレームの少なくとも１つの物理リソースブロックの分散化されたリソースエレメントにマッピングされる。
【００５７】
当該物はさらに、プロセッサにより実行されると、システムが無線フレームにおいてｅＮＢからＵＥに通信されるよう構成されるｅＰＤＣＣＨを生成するため処理可能な制御データにマッピングを適用することを可能にする命令を有することが可能である。当該マッピングは、サブフレームにおいて周波数に関して分散化される複数のローカライズされた物理リソースブロックにマッピングされる少なくとも１つの分散化された制御チャネルエレメントにｅＰＤＣＣＨの変調されたシンボルをマッピングすることによって生成可能である。
【００５８】
当該物はさらに、プロセッサにより実行されると、システムが無線フレームにおいてｅＮＢからＵＥに通信されるよう構成されるｅＰＤＣＣＨを生成するため処理可能な制御データにマッピングを適用することを可能にする命令を有することが可能である。当該マッピングは、少なくとも１つのローカライズされた制御チャネルエレメントと少なくとも１つの分散化された制御チャネルエレメントとを無線フレームのサブフレーム内の物理リソースブロックにマッピングすることによって生成可能である。サブフレームは、マッピングされたローカライズされた制御チャネルエレメントと少なくとも１つのマッピングされた分散化された制御チャネルエレメントとを有することが可能である。
【００５９】
当該物はさらに、プロセッサにより実行されると、システムが無線フレームにおいてｅＮＢからＵＥに通信されるよう構成されるｅＰＤＣＣＨを生成するため処理可能な制御データにマッピングを適用することを可能にする命令を有することが可能である。当該マッピングは、少なくとも１つのローカライズされた制御チャネルエレメントと少なくとも１つの分散化された制御チャネルエレメントとを無線フレームのサブフレームの物理リソースブロックにマッピングすることによって生成可能であり、物理リソースブロックは、マッピングされたローカライズされた制御チャネルエレメントとマッピングされた分散化された制御チャネルエレメントとの少なくとも１つを有する。
【００６０】
他の実施例では、無線フレームにおいてユーザ装置（ＵＥ）に通信されるよう構成されるｅＰＤＣＣＨを生成するため処理可能な制御データにマッピングを適用するため動作可能なエンハンストＮｏｄｅ  Ｂ（ｅＮＢ）を有する装置が開示される。当該マッピングは、ｅＰＤＣＣＨの変調されたシンボルを少なくとも１つのローカライズされた制御チャネルエレメントと少なくとも１つの分散化された制御チャネルエレメントとの少なくとも１つにマッピングすることによって生成される。少なくとも１つのローカライズされた制御チャネルエレメントは、無線フレームのサブフレームの周波数領域において連続する１以上の物理リソースブロック内にマッピングされ、少なくとも１つの分散化された制御チャネルエレメントは、無線フレームのサブフレームの少なくとも１つの物理リソースブロックの分散化されたリソースエレメントにマッピングされる。
【００６１】
他の実施例では、ｅＮＢはさらに、無線フレームにおいてｅＮＢからＵＥに通信されるよう構成されるｅＰＤＣＣＨを生成するため処理可能な制御データにマッピングを適用するよう構成可能である。当該マッピングは、サブフレームの周波数に関して分散化される複数のローカライズされた物理リソースブロックにマッピングされる少なくとも１つの分散化された制御チャネルエレメントにｅＰＤＣＣＨの変調されたシンボルをマッピングすることによって生成可能である。
【００６２】
他の実施例では、ｅＮＢはさらに、無線フレームにおいてｅＮＢからＵＥに通信されるよう構成されるｅＰＤＣＣＨを生成するため処理可能な制御データにマッピングを適用するよう構成可能である。当該マッピングは、無線フレームのサブフレームの物理リソースブロックに少なくとも１つのローカライズされた制御チャネルエレメントと少なくとも１つの分散化された制御チャネルエレメントとをマッピングすることによって生成可能であり、当該サブフレームは、マッピングされたローカライズされた制御チャネルエレメントとマッピングされた分散化された制御チャネルエレメントとの少なくとも１つを含む。
【００６３】
他の実施例では、ｅＮＢはさらに、無線フレームにおいてｅＮＢからＵＥに通信されるよう構成されるｅＰＤＣＣＨを生成するため処理可能な制御データにマッピングを適用するよう構成可能である。当該マッピングは、無線フレームのサブフレームの物理リソースブロックに少なくとも１つのローカライズされた制御チャネルエレメントと少なくとも１つの分散化された制御チャネルエレメントとをマッピングすることによって生成可能であり、物理リソースブロックは、マッピングされたローカライズされた制御チャネルエレメントとマッピングされた分散化された制御チャネルエレメントとの少なくとも１つを含む。
【００６４】
図７は、ユーザ装置（ＵＥ）、移動局（ＭＳ）、移動無線装置、移動通信装置、タブレット、ハンドセット又は他のタイプの移動無線装置などのモバイル装置の一例となる図を提供する。モバイル装置は、基地局（ＢＳ）、ｅｖｏｌｖｅｄ  Ｎｏｄｅ  Ｂ（ｅＮＢ）又は他のタイプのＷＷＡＮ（Ｗｉｒｅｌｅｓｓ  Ｗｉｄｅ  Ａｒｅａ  Ｎｅｔｗｏｒｋ）アクセスポイントと通信するよう構成される１以上のアンテナを有することが可能である。２つのアンテナがあ示されているが、モバイル装置は、１つ及び４以上のアンテナを有してもよい。モバイル装置は、３ＧＰＰ  ＬＴＥ、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＨＳＰＡ（Ｈｉｇｈ  Ｓｐｅｅｄ  Ｐａｃｋｅｔ  Ａｃｃｅｓｓ）、Ｂｌｕｅｔｏｏｔｈ（登録商標）、ＷｉＦｉ又は他の無線規格を含む少なくとも１つんｐ無線通信規格を用いて通信するよう構成可能である。モバイル装置は、各無線通信規格のための独立したアンテナ又は複数の無線通信規格のための共有アンテナを用いて通信可能である。モバイル装置は、ＷＬＡＮ（Ｗｉｒｅｌｅｓｓ  Ｌｏｃａｌ  Ａｒｅａ  Ｎｅｔｗｏｒｋ）、ＷＰＡＮ（Ｗｉｒｅｌｅｓｓ  Ｐｅｒｓｏｎａｌ  Ａｒｅａ  Ｎｅｔｗｏｒｋ）、及び／又はＷＷＡＮ（Ｗｉｒｅｌｅｓｓ  Ｗｉｄｅ  Ａｒｅａ  Ｎｅｔｗｏｒｋ）により通信可能である。
【００６５】
図７はまた、モバイル装置からの音声入出力に利用可能なマイクロフォンと１以上のスピーカーとの図を提供する。表示画面は、ＬＣＤ（Ｌｉｑｕｉｄ  Ｃｒｙｓｔａｌ  Ｄｉｓｐｌａｙ）画面、又はＯＬＥＤ（Ｏｒｇａｎｉｕｃ  Ｌｉｇｈｔ  Ｅｍｉｔｔｉｎｇ  Ｄｉｏｄｅ）ディスプレイなどの他のタイプの表示画面であってもよい。表示画面は、タッチ画面として構成可能である。タッチ画面は、容量性、抵抗性又は他のタイプのタッチ画面技術を利用してもよい。アプリケーションプロセッサとグラフィックスプロセッサとは、処理及び表示機能を提供するため、内部メモリに接続可能である。不揮発性メモリポートがまた、データ入出力オプションをユーザに提供するのに利用可能である。不揮発性メモリポートはまた、モバイル装置のメモリ能力を拡張するのに利用されてもよい。キーボードは、更なるユーザ入力を提供するため、モバイル装置に統合されるか、又はモバイル装置に無線接続されてもよい。バーチャルキーボードがまた、タッチ画面を用いて提供されてもよい。
【００６６】
本明細書に説明される機能ユニットの多くは、より詳細にはそれらの実装の独立性を強調するため、モジュールとしてラベル付けされていることが理解されるべきである。例えば、モジュールは、カスタムＶＬＳＩ回路やゲートアレイを有するハードウェア回路、ロジックチップ、トランジスタなどのオフ・ザ・シェルフ半導体、又は他の個別のコンポーネントとして実現されてもよい。モジュールは、ＦＰＧＡ（Ｆｉｅｌｄ  Ｐｒｏｇｒａｍｍａｂｌｅ  Ｇａｔｅ  Ａｒｒａｙ）、ＰＡＬ（Ｐｒｏｇｒａｍｍａｂｌｅ  Ａｒｒａｙ  Ｌｏｇｉｃ）、プログラマブルロジックデバイスなどのプログラマブルハードウェアデバイスにより実現されてもよい。
【００６７】
モジュールはまた、各種タイプのプロセッサによる実行用のソフトウェアにより実現されてもよい。特定された実行可能コードのモジュールは、例えば、オブジェクト、プロシージャ又はファンクションとして構成されてもよいコンピュータ命令の１以上の物理的又は論理的ブロックを有してもよい。にもかかわらず、特定されたモジュールの実行可能コードは、物理的に一緒に配置されず、論理的に結合されると、当該モジュールを構成し、モジュールのための宣言された目的を実現する異なる位置に格納される別々の命令を構成してもよい。
【００６８】
実際、実行可能コードのモジュールは、単一の命令又は多数の命令であってもよく、複数の異なるコードセグメント、異なるプログラム及び複数の記憶装置に分散されてもよい。同様に、処理データはモジュール内に特定及び示され、何れか適した形態により実現されてもよく、何れか適したタイプのデータ構造内に構成されてもよい。処理データは、単一のデータセットして収集されてもよいし、又は異なる記憶装置上を含む異なる場所に分散されてもよく、少なくとも部分的にシステム又はネットワーク上の電気信号として存在してもよい。モジュールは、所望の機能を実行するよう動作可能なエージェントを含むパッシブ又はアクティブなものであってもよい。
【００６９】
本明細書を通じて“具体例”という表現は、当該具体例に関して説明された特定の機能、構成又は特徴が本発明の少なくとも１つの実施例に含まれることを意味する。従って、本明細書を通じて各所における“具体例では”というフレーズの出現は、必ずしもすべてが同一の実施例を参照しているとは限らない。
【００７０】
ここで用いられる複数のアイテム、構成要素及び／又は物質は、便宜上、共通のリストにあってもよい。しかしながら、これらのリストは、当該リストの各メンバーが別個の一意的なメンバーとして個別に特定されているかのように解釈されるべきである。従って、当該リストの個々のメンバーは、反対の指摘がない場合、共通のグループのプレゼンテーションのみに基づき、同一のリストの他の何れかのメンバーに実質的に均等なものとして解釈されるべきである。さらに、本発明の各種実施例及び具体例は、これらの各種コンポーネントの代替と共にここでは参照されてもよい。このような実施例、具体例及び代替は互いの実質的な均等として解釈されるべきでなく、本発明の別個の自律的な表現としてみなされるべきである。
【００７１】
さらに、説明された機能、構成又は特徴は、１以上の実施例において何れか適した方法により組み合わされてもよい。以下の説明では、本発明の完全な理解を提供するため、サーチスペースの具体例などの多数の具体的な詳細が提供される。しかしながら、当業者は、本発明がこれらの具体的な詳細の１以上がなくても、又は他の方法、コンポーネント、物質などがあっても実現可能であることを認識するであろう。他の具体例では、本発明の態様を不明瞭にすることを回避するため、周知の構成、物質又は処理は詳細には図示又は説明されない。
【００７２】
上記具体例は１以上の特定のアプリケーションにより本発明の原理を示しているが、実現形態の形態、利用及び詳細において多数の変更が発明力の訓練なしに、また発明の原理及びコンセプトから逸脱することなく可能であることが、当業者に明らかであろう。従って、本発明は以下の請求項によって限定されることを意図していない。
【図１】
0005841248.tif 000007
【図２】
0005841248.tif 000008
【図３】
0005841248.tif 000009
【図４】
0005841248.tif 000010
【図５】
0005841248.tif 000011
【図６】
0005841248.tif 000012
【図７】
0005841248.tif 000013